(57)【要約】【課題】  腐食や振動による破損等の問題が生じ難く且つ効果的な整流も行える、堅牢で高性能のウォータージェット推進装置を提供すること。【解決手段】  推進用水路１０内に設置したインペラー１４に取り付けたインペラー駆動軸２３を推進用水路１０の曲がり管形状の部分で外部に引き出し、引き出したインペラー駆動軸２３を駆動してインペラー１４を回転することで、吸込口１９から吸い込んだ水をインペラー１４の下流側に設置したノズル１６を介して吐出口２９から吐き出す。インペラー駆動軸２３を推進用水路１０内に露出して設置する。推進用水路１０の内壁面上部からインペラー駆動軸２３の近傍位置まで整流板４０を吊り下げて設置する。整流板４０の推進用水路１０の内壁面に取り付けるすそ部分の厚みを、先端側部分の厚みに比べて厚くする。整流板４０の先端辺４５とインペラー駆動軸２３との間の隙間は上流側よりも下流側の方を大きくする。【選択図】      図１
2005112150.tif 000002
【特許請求の範囲】
【請求項１】
船体に設けた推進用水路の吸込側を曲がり管形状とし、この推進用水路内に設置したインペラーに取り付けたインペラー駆動軸を前記曲がり管形状の部分で推進用水路の外部に引き出し、引き出したインペラー駆動軸を駆動してインペラーを回転することで、前記推進用水路の吸込口から吸い込んだ水をインペラーの下流側に設置したノズルを介して推進用水路の吐出口から吐き出すウォータージェット推進装置において、
前記推進用水路内のインペラー駆動軸を推進用水路内に露出して設置するとともに、
前記推進用水路の内壁面上部から前記インペラー駆動軸の近傍位置まで整流板を吊り下げて設置したことを特徴とするウォータージェット推進装置。
【請求項２】
前記整流板の推進用水路の内壁面に取り付けるすそ部分の厚みを、先端側部分の厚みに比べて厚くしたことを特徴とする請求項１に記載のウォータージェット推進装置。
【請求項３】
前記整流板の先端辺と前記インペラー駆動軸との間の隙間は、上流側よりも下流側の方が大きいことを特徴とする請求項１又は２に記載のウォータージェット推進装置。
【発明の詳細な説明】
【技術分野】
【０００１】
本発明は、ウォータージェット推進装置に関するものである。
【背景技術】
【０００２】
従来、レジャー用等に用いられるエンジン付きの小型滑走艇は、その船尾部の船底にウォータージェット推進装置を設置し、このウォータージェット推進装置の推進用水路内に設けたインペラーの回転により船底から吸引した水を後方へ送り出し、これによって船体を推進或いは旋回させるように構成されている（特許文献１参照）。
【０００３】
図５はこれら従来のウォータージェット推進装置の概略一部断面図である。同図に示すようにウォータージェット推進装置は、船体の船尾近傍の船底部に設置された推進用水路２００内にインペラー２３０を設置し、このインペラー２３０に取り付けたインペラー駆動軸２５０を駆動してインペラー２３０を回転することで、推進用水路２００の吸込口２０１から吸い込んだ水をインペラー２３０の下流側に設置したノズル２２０を介して推進用水路の吐出口２０３から吐き出して推進力を得るようにしている。
【０００４】
ここで図６は図５のａ−ａ線部分の断面拡大図である。同図に示すようにインペラー駆動軸２５０の推進用水路２００内に位置する部分は、従来保護管２６０によって覆われていた。また保護管２６０を補強すると同時にインペラー２３０の上流側の水の流れを整流するために保護管２６０と推進用水路２００の上部内壁との間を支持板２７０によって連結していた。
【０００５】
しかしながら、保護管２６０と支持板２７０は、腐食や振動による破損等の問題からトラブルが多発していた。
【特許文献１】特開平４−８７８９９号公報
【発明の開示】
【発明が解決しようとする課題】
【０００６】
本発明は上述の点に鑑みてなされたものでありその目的は、腐食や振動による破損等の問題が生じ難く且つ効果的な整流も行える、堅牢で高性能のウォータージェット推進装置を提供することにある。
【課題を解決するための手段】
【０００７】
本願の請求項１に記載の発明は、船体に設けた推進用水路の吸込側を曲がり管形状とし、この推進用水路内に設置したインペラーに取り付けたインペラー駆動軸を前記曲がり管形状の部分で推進用水路の外部に引き出し、引き出したインペラー駆動軸を駆動してインペラーを回転することで、前記推進用水路の吸込口から吸い込んだ水をインペラーの下流側に設置したノズルを介して推進用水路の吐出口から吐き出すウォータージェット推進装置において、前記推進用水路内のインペラー駆動軸を推進用水路内に露出して設置するとともに、前記推進用水路の内壁面上部から前記インペラー駆動軸の近傍位置まで整流板を吊り下げて設置したことを特徴とするウォータージェット推進装置にある。
【０００８】
本願の請求項２に記載の発明は、前記整流板の推進用水路の内壁面に取り付けるすそ部分の厚みを、先端側部分の厚みに比べて厚くしたことを特徴とする請求項１に記載のウォータージェット推進装置にある。
【０００９】
本願の請求項３に記載の発明は、前記整流板の先端辺と前記インペラー駆動軸との間の隙間は、上流側よりも下流側の方が大きいことを特徴とする請求項１又は２に記載のウォータージェット推進装置にある。
【発明の効果】
【００１０】
本願の請求項１に記載の発明によれば、インペラー駆動軸を推進用水路内に露出して設置するとともに、推進用水路の内壁面上部からインペラー駆動軸の近傍位置まで整流板を吊り下げて設置したので、インペラー駆動軸の周囲を保護管で覆った場合のような保護管やこれを支持する支持板の腐食や振動による破損等のトラブルが全く生じなくなる。また従来、支持板によって行っていたインペラー駆動軸周りの整流作用を整流板が行うことで、その流れは乱されず、効果的な整流が行える。
【００１１】
本願の請求項２に記載の発明によれば、整流板のすそ部分の厚みを先端側部分の厚みに比べて厚くしたので、整流板の推進用水路への固定を容易に強固にでき、振動による破損を効果的に防止できる。
【００１２】
本願の請求項３に記載の発明によれば、整流板の先端辺とインペラー駆動軸との間の隙間寸法を、上流側の隙間よりも下流側の隙間の方が大きくなるように形成したので、上流側から流入してきた水の中の異物がこの隙間に詰まることを容易に防止できる。
【発明を実施するための最良の形態】
【００１３】
以下、本発明の実施の形態を図面を参照して詳細に説明する。
図１は本発明の一実施の形態にかかるウォータージェット推進装置の概略一部断面図である。同図に示すようにこのウォータージェット推進装置は、船体の船尾近傍の船底部に推進用水路１０を設置し、その内部にインペラー１４を収納して構成されている。
【００１４】
ここで推進用水路１０は、その上流側（船体前方側）から吸込管１１、インペラーハウジング１３、吐出しボウル１５、ノズル１６、バケット１７を連結して構成されている。吸込管１１は曲がり管形状であって、その上流側（図１では右側）が下方に折れ曲がってその先端の吸込口１９は下方（船底）を向いている。吸込管１１内の吸込口１９近傍には、ストレーナ２１が取り付けられ、吸込口１９から吸い込まれる水中の異物が推進用水路１０内に流入しないようにしている。吸込管１１内にはインペラー駆動軸２３が設置され、その下流側の一端にはインペラーハウジング１３内に設置されたインペラー１４が取り付けられ、他端は吸込管１１の曲がり管形状の部分から外部に引き出された部分で軸受２７に軸支され、さらにその先端側はエンジン２５に連結されている。吐出しボウル１５内には案内羽根２８が固定されている。バケット１７は水平方向に揺動自在に取り付けられ、ノズル１６から噴出される推進用の水の方向を左右に変更する。バケット１７の端部は水の吐出口２９となっている。
【００１５】
そしてこのウォータージェット推進装置においては、推進用水路１０内のインペラー駆動軸２３を、推進用水路１０内に露出して設置している。即ち前記図５に示す保護管２６０とこれを支持する支持板２７０のない構造としている。同時にこのウォータージェット推進装置においては、推進用水路１０（吸込管１１）の内壁面上部からインペラー駆動軸２３の近傍位置まで整流板４０を吊り下げて設置している。
【００１６】
ここで図２は吸込管１１の整流板４０近傍部分を示す拡大概略断面図、図３は図１のＡ−Ａ線部分の拡大断面図、図４は整流板４０及びその近傍部分の概略斜視図である。図３，図４に示すように整流板４０は、インペラー駆動軸２３の上部（下流側）においてインペラー駆動軸２３によって乱されようとする流体の流れを整流するように流線形状に形成され、且つ前述のように吸込管１１の内壁面上部から吊り下げて設置されている。そして図３に示すように、整流板４０の推進用水路１０の内壁面に取り付けるすそ部分４１の厚みを、先端側部分４３の厚みに比べて広くし、これによって整流板４０の吸込管１１への取付強度を強固にしている。一方図２に示すように、整流板４０の先端辺４５は、この先端辺４５とインペラー駆動軸２３との間の隙間が、上流側の隙間寸法Ｌ１よりも下流側の隙間寸法Ｌ２の方が大きくなるように斜めに傾斜して構成している。
【００１７】
以上のように構成されたウォータージェット推進装置において、エンジン２５を駆動すると、インペラー駆動軸２３によってインペラー１４が回転し、これによって推進用水路１０の吸込口１９から吸い込まれた水はストレーナ２１を通して吸込管１１、インペラーハウジング１３、吐出しボウル１５、ノズル１６を通過し、バケット１７先端の吐出口２９から吐き出され、このウォータージェット推進装置を設置した船体に推進力を与える。なおバケット１７によってノズル１６から噴出される推進用の水の方向を左右に変更すれば、船体が旋回し、操舵できる。
【００１８】
一方このウォータージェット推進装置においては、インペラー駆動軸２３を吸込管１１内に露出しているので、その周囲を保護管で覆った場合のように保護管やこれを支持する支持板の腐食や振動による破損等のトラブルは全く生じない。また従来、支持板によって行っていたインペラー駆動軸２３周りの整流作用は、整流板４０によって行われるので、その流れが乱されることはない。また整流板４０は前述のようにそのすそ部分４１の厚みを大きくして吸込管１１への取付強度を強固にしているので、振動によって破損する恐れもない。
【００１９】
また整流板４０の先端辺４５とインペラー駆動軸２３との間の隙間は前述のように、上流側の隙間寸法Ｌ１よりも下流側の隙間寸法Ｌ２の方を大きくしたので、上流側から流入してきた水の中の異物がこの隙間の上流側で一旦詰まっても、下流側に押しやられることで外れ、容易にその詰まりを解除することができる。
【００２０】
以上本発明の実施の形態を説明したが、本発明は上記実施の形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記実施の形態では整流板４０を一枚としたが、複数枚としてもよい。また整流板４０の形状に種々の変形が可能なことはいうまでもない。
【図面の簡単な説明】
【００２１】
【図１】本発明の一実施の形態にかかるウォータージェット推進装置の概略一部断面図である。
【図２】吸込管１１の整流板４０近傍部分を示す拡大概略断面図である。
【図３】図１のＡ−Ａ線部分の拡大断面図である。
【図４】整流板４０及びその近傍部分の概略斜視図である。
【図５】従来のウォータージェット推進装置の概略一部断面図である。
【図６】図５のａ−ａ線部分の断面拡大図である。
【符号の説明】
【００２２】
１０  推進用水路
１１  吸込管
１３  インペラーハウジング
１４  インペラー
１５  吐出しボウル
１６  ノズル
１７  バケット
１９  吸込口
２１  ストレーナ
２３  インペラー駆動軸
２５  エンジン
２７  軸受
２８  案内羽根
２９  吐出口
４０  整流板
４１  すそ部分
４３  先端側部分
４５  先端辺
Ｌ１，Ｌ２  隙間寸法
【図１】
2005112150.tif 000003
【図２】
2005112150.tif 000004
【図３】
2005112150.tif 000005
【図４】
2005112150.tif 000006
【図５】
2005112150.tif 000007
【図６】
2005112150.tif 000008